(57)【特許請求の範囲】
【請求項１】
テレビジョン受信装置であって、
テレビ映像を表示するための映像信号と、複数のコンテンツデータとを取得するための取得手段と、
前記映像信号に基づいて映像を表示する表示手段と、
前記表示手段を取り囲むように、前記テレビジョン受信装置の筐体の前面に取り付けられ、前記コンテンツデータに基づいて画像を表示する画像表示手段と、
前記テレビジョン受信装置の動作を制御する制御手段とを備え、
各前記コンテンツデータは、相互に関連付けられており、
前記制御手段は、
前記表示手段に表示されている映像に関連付けられた各前記コンテンツデータに基づく各画像を、前記表示手段に表示されている映像に応じて前記画像表示手段に順次表示させる、テレビジョン受信装置。
【請求項２】
前記テレビジョン受信装置に対する命令の入力を受け付ける入力手段をさらに備え、
前記入力手段は、前記画像表示手段に表示された画像を選択する選択入力を受け付け、
前記制御手段は、選択された画像に関連付けられた映像信号に基づく映像を、前記表示手段に表示させる、請求項１に記載のテレビジョン受信装置。
【請求項３】
前記テレビジョン受信装置に対する命令の入力を受け付ける入力手段をさらに備え、
前記入力手段は、前記画像表示手段に表示された画像に含まれる情報を選択する選択入力を受け付け、
前記制御手段は、選択された情報に関連付けられた画像を、前記画像表示手段に表示させる、請求項１に記載のテレビジョン受信装置。
【請求項４】
前記制御手段は、前記表示手段への電源供給が遮断されている場合でも、前記コンテンツデータに基づく画像を前記画像表示手段に表示させる、請求項１〜３のいずれか１項に記載のテレビジョン受信装置。
【請求項５】
前記画像表示手段は、電子ペーパーを含む、請求項１〜４のいずれか１項に記載のテレビジョン受信装置。
【請求項６】
前記制御手段は、前記コンテンツデータに基づく画像を前記画像表示手段にスクロール表示させる、請求項１〜５のいずれか１項に記載のテレビジョン受信装置。
【請求項７】
前記取得手段は、緊急警報放送信号を受信し、
前記制御手段は、前記緊急警報放送信号の受信を検知すると、前記緊急警報放送信号に基づく画像を、前記画像表示手段に表示させる、請求項１〜６のいずれか１項に記載のテレビジョン受信装置。
【請求項８】
前記取得手段は、前記映像信号と前記コンテンツデータとが含まれるテレビジョン放送信号を受信する受信手段を含む、請求項１〜７のいずれか１項に記載のテレビジョン受信装置。
【請求項９】
前記取得手段は、
前記映像信号が含まれるテレビジョン放送信号を受信する受信手段と、
ネットワークを介して、前記ネットワークに接続されている情報提供装置と通信する通信手段とを含む、請求項１〜７のいずれか１項に記載のテレビジョン受信装置。
【請求項１０】
予め入力された予約時刻を格納する記憶手段をさらに備え、
前記制御手段は、
前記予約時刻の到来を検知すると、前記取得手段に前記複数のコンテンツデータを取得させる、請求項１〜９のいずれか１項に記載のテレビジョン受信装置。
【請求項１１】
テレビジョン受信装置が画像を表示する方法であって、
テレビ映像を表示するための映像信号と、複数のコンテンツデータとを取得するステップを含み、
前記テレビジョン受信装置は、ディスプレイ装置と、前記ディスプレイ装置を取り囲むように、前記テレビジョン受信装置の筐体の前面に取り付けられ、前記コンテンツデータに基づいて画像を表示する画像表示装置とを備え、
各前記コンテンツデータは、相互に関連付けられており、
前記方法は、さらに、
前記ディスプレイ装置に表示されている映像に関連付けられた各前記コンテンツデータに基づく各画像を、前記ディスプレイ装置に表示されている映像に応じて前記画像表示装置に順次表示させるステップを含む、方法。
【請求項１２】
前記テレビジョン受信装置に対する命令の入力を受け付けるステップをさらに含み、
前記入力を受け付けるステップは、前記画像表示装置に表示された画像を選択する選択入力を受け付けるステップを含み、
選択された画像に関連付けられた映像信号に基づく映像を、前記ディスプレイ装置に表示させるステップをさらに含む、請求項１１に記載の方法。
【請求項１３】
前記テレビジョン受信装置に対する命令の入力を受け付けるステップをさらに含み、
前記入力を受け付けるステップは、前記画像表示装置に表示された画像に含まれる情報を選択する選択入力を受け付けるステップを含み、
前記表示させるステップは、選択された情報に関連付けられた画像を、前記画像表示装置に表示させるステップを含む、請求項１１に記載の方法。
【請求項１４】
前記表示させるステップは、前記ディスプレイ装置への電源供給が遮断されている場合でも、前記コンテンツデータに基づく画像を前記画像表示装置に表示させるステップを含む、請求項１１〜１３のいずれか１項に記載の方法。
【請求項１５】
前記画像表示装置は、電子ペーパーを含む、請求項１１〜１４のいずれか１項に記載の方法。
【請求項１６】
前記表示させるステップは、前記コンテンツデータに基づく画像をスクロール表示するステップを含む、請求項１１〜１５のいずれか１項に記載の方法。
【請求項１７】
前記取得するステップは、緊急警報放送信号を受信するステップを含み、
前記表示させるステップは、前記緊急警報放送信号に基づく画像を、前記画像表示装置に表示させるステップを含む、請求項１１〜１６のいずれか１項に記載の方法。
【請求項１８】
前記取得するステップは、前記映像信号と前記コンテンツデータとが含まれるテレビジョン放送信号を受信するステップを含む、請求項１１〜１７のいずれか１項に記載の方法。
【請求項１９】
前記取得するステップは、
前記映像信号が含まれるテレビジョン放送信号を受信するステップと、
ネットワークを介して、前記ネットワークに接続されている情報提供装置と通信するステップとを含む、請求項１１〜１７のいずれか１項に記載の方法。
【請求項２０】
前記テレビジョン受信装置は、予め入力された予約時刻を格納する記憶装置をさらに含み、
前記取得するステップは、前記予約時刻の到来を検知すると、前記複数のコンテンツデータを取得するステップを含む、請求項１１〜１９のいずれか１項に記載の方法。
【発明の詳細な説明】
【技術分野】
【０００１】
本発明は画像を表示する技術に関し、特に、電子ペーパーを備えるテレビジョン受信装置が画像を表示する技術に関する。
【背景技術】
【０００２】
テレビは、画像を表示している間、表示媒体として機能するが、ディスプレイ装置のサイズの大型化に伴って、インテリアとしてのデザインも求められつつある。しかしながら、テレビの外観は、映像を表示していない間、筐体あるいは液晶ディスプレイ装置等の表面の色に依存することとなり、インテリアとしてのデザインに拡張性が見られない。そこで、テレビが映像を表示していない場合でも画像を表示可能な不揮発性の表示媒体として、電子ペーパーが知られている。
【０００３】
電子ペーパーをテレビに適用する技術として、たとえば、特開２００４−６２０５２号公報（特許文献１）は、外観を自由に変更できる装置を開示している。
【０００４】
また、放送信号に多重化された情報を表示する技術として、たとえば、特開２００２−１６８９２号公報（特許文献２）は、テレビ情報等の放送用情報と共に送信される文字情報などの付加情報をユーザにとって利用しやすく提供することができる付加情報表示装置を開示している。
【０００５】
また、特開２００３−８７６７３号公報（特許文献３）は、使用者が主に視聴しようとしている映像を損なうことなくタッチパネル用の映像やその他の映像を表示し、これを利用できるようにした映像表示装置を開示している。
【０００６】
また、特開２００４−２５４１２２号公報（特許文献４）は、デジタル放送の大容量情報の配信能力を十分に活用でき、配信された付加情報を効率的に利用できる技術を開示している。
【特許文献１】特開２００４−６２０５２号公報
【特許文献２】特開２００２−１６８９２号公報
【特許文献３】特開２００３−８７６７３号公報
【特許文献４】特開２００４−２５４１２２号公報
【発明の開示】
【発明が解決しようとする課題】
【０００７】
しかしながら、電子ペーパーに画像を表示するためには、当該装置の使用者が操作を行なう必要があり、簡易に表示を実現することができない場合があった。また、電子ペーパーに画像を表示するために利用可能なコンテンツデータが複数存在する場合に、各画像を効率よく表示することができない場合があった。
【０００８】
本発明は、上述の問題点を解決するためになされたものであって、その目的は、電子ペーパーを備えたテレビジョン受信装置において、当該電子ペーパーにおける画像の表示を簡易に実現することができるテレビジョン受信装置を提供することである。
【０００９】
本発明の他の目的は、電子ペーパーに画像を表示するために利用可能なコンテンツデータが複数存在する場合に、各画像を効率よく表示できるテレビジョン受信装置を提供することである。
【００１０】
本発明の他の目的は、電子ペーパーを備えたテレビジョン受信装置において、当該電子ペーパーにおける画像の表示を簡易に実現するための方法を提供することである。
【００１１】
本発明の他の目的は、電子ペーパーに画像を表示するために利用可能なコンテンツデータが複数存在する場合に、テレビジョン受信装置が各画像を効率よく表示する方法を提供することである。
【課題を解決するための手段】
【００１２】
上記の課題を解決するために、この発明のある局面に従うテレビジョン受信装置は、テレビ映像を表示するための映像信号と、コンテンツデータとを取得するための取得手段と、筐体と、映像信号に基づいて映像を表示する表示手段と、印加される電圧に応じた表示を行なうとともに表示の内容を保持するように構成された画像表示手段と、テレビジョン受信装置に対する命令の入力を受け付ける入力手段と、予め入力された予約時刻を格納する記憶手段と、テレビジョン受信装置の動作を制御する制御手段とを備える。制御手段は、予約時刻の到来を検知すると、取得手段にコンテンツデータを取得させ、コンテンツデータに基づく画像を画像表示手段に表示させる。
【００１３】
好ましくは、画像表示手段は、電子ペーパーを含む。
好ましくは、表示手段が映像を表示しているか否かに関わらず、制御手段は、コンテンツデータに基づく画像を画像表示手段に表示させる。
【００１４】
好ましくは、取得手段は、複数のコンテンツデータを取得する。制御手段は、各コンテンツデータに基づく画像を画像表示手段にそれぞれ表示させる。
【００１５】
好ましくは、制御手段は、複数のコンテンツデータのうちの第１のコンテンツデータに基づく第１の画像を、画像表示手段に表示させ、第１の画像の表示の後、複数のコンテンツデータのうちの第２のコンテンツデータに基づく第２の画像を画像表示手段に表示させる。
【００１６】
好ましくは、制御手段は、コンテンツデータに基づく画像を画像表示手段にスクロール表示させる。
【００１７】
好ましくは、コンテンツデータと映像信号とは互いに関連付けられている。入力手段は、画像表示手段に表示された画像を選択する選択入力を受け付ける。制御手段は、選択された画像に関連付けられた映像信号に基づく映像を、表示手段に表示させる。
【００１８】
好ましくは、コンテンツデータと映像信号とは互いに関連付けられている。制御手段は、表示手段に表示されている映像を与える映像信号に関連付けられる画像を、画像表示手段に表示させる。
【００１９】
好ましくは、取得手段は、緊急警報放送信号を受信する。制御手段は、緊急警報放送信号の受信を検知すると、予約時刻に関わらず、緊急警報放送信号に基づく画像を、画像表示手段に表示させる。
【００２０】
好ましくは、取得手段は、映像信号とコンテンツデータとが含まれるテレビジョン放送信号を受信する受信手段を含む。
【００２１】
好ましくは、取得手段は、映像信号が含まれるテレビジョン放送信号を受信する受信手段と、ネットワークを介して、ネットワークに接続されている情報提供装置と通信する通信手段とを含む。
【００２２】
この発明の他の局面に従うと、テレビジョン受信装置が画像を表示する方法が提供される。テレビジョン受信装置は、ディスプレイ装置と、印加される電圧に応じた表示を行なうとともに表示の内容を保持するように構成された画像表示装置とを備える。この方法は、テレビ映像を表示するための映像信号を取得するステップと、時刻を計測するステップと、テレビジョン受信装置に対する予約情報の入力を受け付けるステップと、予約情報の到来を検知すると、コンテンツデータを取得するステップと、コンテンツデータに基づく画像を画像表示装置に表示させるステップとを備える。
【００２３】
好ましくは、画像表示装置は、電子ペーパーを含む。
好ましくは、画像を画像表示装置に表示させるステップは、ディスプレイ装置が映像を表示しているか否かに関わらず、コンテンツデータに基づく画像を画像表示装置に表示させるステップを含む。
【００２４】
好ましくは、取得するステップは、複数のコンテンツデータを取得するステップを含む。画像を画像表示装置に表示させるステップは、各コンテンツデータに基づく画像を画像表示装置にそれぞれ表示させるステップを含む。
【００２５】
好ましくは、画像を画像表示装置に表示させるステップは、複数のコンテンツデータのうちの第１のコンテンツデータに基づく第１の画像を、画像表示装置に表示させるステップと、第１の画像の表示の後、複数のコンテンツデータのうちの第２のコンテンツデータに基づく第２の画像を画像表示装置に表示させるステップとを含む。
【００２６】
好ましくは、画像を画像表示装置に表示させるステップは、コンテンツデータに基づく画像をスクロール表示するステップを含む。
【００２７】
好ましくは、コンテンツデータと映像信号とは互いに関連付けられている。入力を受け付けるステップは、画像表示装置に表示された画像を選択する選択入力を受け付けるステップを含む。この方法は、選択された画像に関連付けられた映像信号に基づく映像を、ディスプレイに表示させるステップをさらに含む。
【００２８】
好ましくは、コンテンツデータと映像信号とは互いに関連付けられている。この方法は、ディスプレイ装置に表示されている映像を与える映像信号に関連付けられる画像を、画像表示装置に表示させるステップをさらに含む。
【００２９】
好ましくは、取得するステップは、緊急警報放送信号を受信するステップを含む。画像を画像表示装置に表示させるステップは、緊急警報放送信号に基づく画像を、画像表示装置に表示させるステップを含む。
【００３０】
好ましくは、取得するステップは、映像信号とコンテンツデータとが含まれるテレビジョン放送信号を受信するステップを含む。
【００３１】
好ましくは、取得するステップは、映像信号が含まれるテレビジョン放送信号を受信するステップと、ネットワークを介して、ネットワークに接続されている情報提供装置と通信するステップとを含む。
【発明の効果】
【００３２】
本発明によると、電子ペーパーにおける画像の表示を簡易に実現することができるテレビジョン受信装置を提供することができる。また、電子ペーパーに画像を表示するために利用可能なコンテンツデータが複数存在する場合に、テレビジョン受信装置は、各画像を効率よく表示できる。
【発明を実施するための最良の形態】
【００３３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３４】
［外観］
図１および図２を参照して、本発明の実施の形態に係るテレビ１００の構成について説明する。図１は、テレビ１００の外観を表わす図である。テレビ１００は、筐体１１０と、ディスプレイ１２０と、電子ペーパー１３０とを備える。電子ペーパー１３０は、ディスプレイ１２０を取囲むように、筐体１１０の前面に取り付けられている。
【００３５】
なお、電子ペーパー１３０の態様として、ツイストボール式、電気泳動方式、電子粉流体方式、帯電トナー型表示方法、液晶表示方式、電解析出方式、エレクトロクロミック方式、フィルム移動方式などが知られているが、電子ペーパー１３０の態様はこれらに限られない。電子ペーパー１３０は、周知のように、曲げ性に富んでおり、筐体１１０の前面部に曲面があっても、当該曲面に応じた取り付けが可能である。
【００３６】
また、電子ペーパー１３０は、その材質上、高い反射率を有している。そのため、電子ペーパー１３０のためのバックライトは不要である。また、電子ペーパー１３０はバックライトを使用することなく画像を表示できるので、たとえば、就寝時のように消灯しておきたい場合に当該バックライトによって電子ペーパー１３０の周囲が明るくなるということはない。
【００３７】
また、電子ペーパー１３０は、画像表示手段の一態様に過ぎず、当該画像表示手段は、これに限られない。すなわち、画像表示手段は、印加される電圧に応じた表示を行なうとともに、当該表示の内容を不揮発的に保持することができるように構成されていればよい。
【００３８】
［機能の構成］
図２は、テレビ１００によって実現される機能の構成を表わすブロック図である。テレビ１００は、入力部２１０と、取得部２２０と、制御部２３０と、表示部２４０と、電子ペーパー部２５０と、記憶部２６０と、時計部２７０とを備える。
【００３９】
入力部２１０は、テレビ１００に対する命令の入力を受け付けるように構成されている。
【００４０】
取得部２２０は、テレビ映像を表示するための映像信号とコンテンツデータとを取得するように構成されている。コンテンツデータの取得先は、放送信号、パケットデータ、着脱可能な記録媒体のいずれであってもよい。当該記録媒体は、ＣＤ−ＲＯＭ（Compact Disc-Read Only Memory）その他の光ディスク、メモリカード等を含み得る。当該コンテンツデータは、放送事業者によって作成されたものに限られず、テレビ１００の使用者が作成したデータであってもよい。使用者が作成したデータは、デジタルカメラ、デジタルビデオカメラによって生成されたデジタル画像データを含む。
【００４１】
制御部２３０は、テレビ１００の動作を制御するように構成されている。表示部２４０は、画像を表示するように構成されている。画像は、動画像および静止画像のいずれをも含み得る。電子ペーパー部２５０は、電子ペーパーを含み、画像を不揮発的に表示するように構成されている。記憶部２６０は、入力部２１０によって受け付けられたデータ、取得部２２０によって取得されたデータ、制御部２３０によって生成されたデータの少なくともいずれかを保存するように構成されている。時計部２７０は、テレビ１００の時間を計測するように構成されている。
【００４２】
ある局面において、取得部２２０は、複数のコンテンツデータを取得する。複数のコンテンツデータは、たとえば、各社のコマーシャル映像、ニュース番組等である。他の局面において、取得部２２０は、映像信号とコンテンツデータとが含まれるテレビジョン放送信号を受信する。さらに他の局面において、取得部２２０は、取得部２２０と、映像信号が含まれるテレビジョン放送信号を受信する受信部と、ネットワークを介してネットワークに接続されている情報提供装置と通信する通信部とを含む。テレビジョン放送信号は、地上波放送信号、衛星放送信号、デジタル放送信号、アナログ放送信号のいずれであってもよい。
【００４３】
制御部２３０は、テレビ１００の動作を制御する。より詳しくは、制御部２３０は、テレビ１００に対する命令に基づいてコンテンツデータを取得し、そのコンテンツデータに基づく画像を電子ペーパー部２５０に表示させるように構成される。
【００４４】
記憶部２６０は、入力部２１０を介して予め入力された予約時刻を格納するように構成されている。制御部２３０は、当該予約時刻の到来を検知すると、コンテンツデータを取得するように構成されている。
【００４５】
ある局面において、表示部２４０が映像を表示しているか否かにかかわらず、制御部２３０は、コンテンツデータに基づく画像を電子ペーパー部２５０に表示させるように構成されている。
【００４６】
ある局面において、取得部２２０は、複数のコンテンツデータを取得するように構成される。制御部２３０は、各コンテンツデータに基づく画像を電子ペーパー部２５０にそれぞれ表示させるように構成される。
【００４７】
ある局面において、制御部２３０は、複数のコンテンツデータのうちの第１のコンテンツデータに基づく第１の画像を電子ペーパー部２５０に表示させるように構成される。また、制御部２３０は、第１の画像の表示の後、複数のコンテンツデータのうちの第２のコンテンツデータに基づく第２の画像を電子ペーパー部２５０に表示させるように構成される。
【００４８】
ある局面において、制御部２３０は、コンテンツデータに基づく画像を電子ペーパー部２５０にスクロール表示させるように構成される。スクロール表示の方向は、筐体１１０の上下方向、左右方向のいずれであってもよい。また、画像の動的な表示はスクロール表示に限られず、たとえば、点滅するような態様で画像が表示されてもよい。
【００４９】
ある局面において、コンテンツデータと映像信号とは、互いに関連付けられている。入力部２１０は、電子ペーパー部２５０に表示された画像を選択する入力を受け付けるように構成される。制御部２３０は、選択された画像に関連付けられた映像信号に基づく映像を、表示部２４０に表示させるように構成される。
【００５０】
ある局面において、コンテンツデータと映像信号とは、互いに関連付けられている。制御部２３０は、表示部２４０に表示されている映像を与える映像信号に関連付けられる画像を、電子ペーパー部２５０に表示させるように構成される。
【００５１】
ある局面において、取得部２２０は、緊急警報放送信号を受信するように構成される。制御部２３０は、その緊急警報放送信号に基づく画像を電子ペーパー部２５０に表示させるように構成される。
【００５２】
［信号の構成］
次に、図３を参照して、テレビ１００が受信する信号３００の構成について説明する。図３は、信号３００の構成を概念的に表わす図である。信号３００は、映像信号３１０と、コンテンツデータ３２０と、映像信号３３０と、コンテンツデータ３４０と、映像信号３５０と、コンテンツデータ３６０とを含む。信号３００は、映像信号３１０、コンテンツデータ３２０の順に順次送信される。テレビ１００は、信号３００をその送信された順序に従って受信し、受信した信号として映像信号３１０、コンテンツデータ３２０、映像信号３３０などをそれぞれ取得する。
【００５３】
［ハードウェア構成］
図４を参照して、本発明の実施の形態に係るテレビ１００の具体的構成について説明する。図４は、テレビ１００のハードウェア構成を表わすブロック図である。テレビ１００は、外部入力部４０４と、受光部４０６と、ＣＰＵ（Central Processing Unit）４１０と、チューナ４１４と、切換回路４１６と、操作部４０８と、信号処理回路４２０と、表示ドライバ４２８と、アンプ４３６ａ，４３６ｂと、スピーカ４４０ａ，４４０ｂと、メモリ４５２と、クロック４６０とを備える。ＣＰＵ４１０は、メモリ４１２を含む。信号処理回路４２０は、分離回路４２２と、ＯＳＤ（On Screen Display）回路４２４とを含む。
【００５４】
テレビ１００は、アンテナ４０２に接続される。テレビ１００は、リモコン端末４９０から発せられる制御信号によって制御される。
【００５５】
アンテナ４０２によって受信された信号は、チューナ４１４に入力される。チューナ４１４は、ＣＰＵ４１０によって出力された命令に基づいて選局する。チューナ４１４は、選局後の信号を切換回路４１６に送出する。
【００５６】
一方、外部入力部４０４は、テレビ１００の外部から映像音声信号の入力を受け付ける。外部入力部４０４は、ある局面において、たとえば信号入力インターフェイスとして構成される。外部入力部４０４は、その入力された信号を切換回路４１６に伝送する。
【００５７】
切換回路４１６は、ＣＰＵ４１０から送られる命令に基づいて、信号の入力源をチューナ４１４と外部入力部４０４との間で切り換える。切換回路４１６は、そのいずれかの入力源から得た信号を信号処理回路４２０に伝送する。
【００５８】
受光部４０６は、リモコン端末４９０によって発信された赤外線信号を受信する。受光部４０６によって受信された赤外線信号は電気信号に変換され、その変換後の信号はＣＰＵ４１０に送られる。
【００５９】
操作部４０８は、テレビ１００に対する操作の入力を受け付ける。操作部４０８は、ある局面において、テレビ１００の筐体１１０の前面に設けられたタッチパネル（図示しない）として構成される。操作部４０８が受け付けた操作は電気信号に変換され、変換後の信号がＣＰＵ４１０に送られる。ＣＰＵ４１０は、その信号に基づいてテレビ１００に対する命令を検知する。
【００６０】
ＣＰＵ４１０は、制御部２３０として機能する。ＣＰＵ４１０は、テレビ１００に対して与えられる命令に基づいて、あるいは、テレビ１００の内部において予め定められた条件が成立したことに基づいて（たとえば予め定められた時刻の到来に基づいて）、テレビ１００の動作を制御する。テレビ１００の動作は、チャンネルの選局、テレビ１００の電源のオンオフの切り換え、画像の表示先をディスプレイ１２０と電子ペーパー１３０とで切り換えることなどを含む。
【００６１】
メモリ４１２は、テレビ１００の電源がオンの間にＣＰＵ４１０によって生成されたデータあるいはＣＰＵ４１０に対して与えられたデータを一時的に保持する。保持されるデータには、電子ペーパー１３０に表示される画像のデータが含まれる。
【００６２】
メモリ４５２は、ある局面において、たとえばフラッシュメモリ、ハードディスク装置などの不揮発的にデータを保持可能な装置として構成される。メモリ４５２は、ＣＰＵ４１０から与えられるデータ、あるいはテレビ１００の外部から与えられたデータ（たとえば画像信号、命令、コマンドなど）を格納する。格納されるデータには、電子ペーパー１３０に表示されるべき画像データも含まれる。
【００６３】
信号処理回路４２０ＨＡ，ＣＰＵ４１０から与えられる命令に従って、放送信号を映像信号と音声信号とに分離する。より詳しくは、分離回路４２２は、切換回路４１６から出力される信号の入力を受け付ける。分離回路４２２は、ＣＰＵ４１０から送られる命令に基づいて、その入力された信号を音声信号と映像信号とに分離する。分離回路４２２から出力される映像信号は、ＯＳＤ回路４２４に入力される。一方、音声信号は、アンプ４３６ａ，４３６ｂにそれぞれ入力される。
【００６４】
ＯＳＤ回路４２４は、ＣＰＵ４１０から送られる命令に基づいて、ディスプレイ１２０に表示される文字情報を映像信号に重ねることにより合成信号を生成する。当該文字情報は、たとえばチューナ４１４によって選局されているチャンネルの番号、放送信号から取得されたコンテンツのデータなどを含む。
【００６５】
ＯＳＤ回路４２４から出力される信号は、表示ドライバ４２８に入力される。
表示ドライバ４２８は、ＣＰＵ４１０から送られる命令に従って、ＯＳＤ回路４２４から与えられた信号をディスプレイ１２０に表示させる。表示ドライバ４２８は、より詳しくは、入力された合成信号をディスプレイ１２０の表示領域に応じた描画処理を実行する。
【００６６】
アンプ４３６ａ，４３６ｂは、ＣＰＵ４１０から送られる音量調整命令に基づいて、入力された音声信号のレベルを調整して、調整後の音声信号をスピーカ４４０ａ，４４０ｂにそれぞれ与える。スピーカ４４０ａ，４４０ｂは、その各音声信号に基づいて音声を出力する。なお、スピーカ４４０ａ，４４０ｂは、モノラルスピーカであっても、また、いわゆる２ウェイ方式、あるいは３ウェイ方式のスピーカであってもよい。
【００６７】
クロック４６０は、テレビ１００の内部の時刻を計測する。クロック４６０は、テレビ１００が受ける電力に基づいて作動するとともに、蓄電部（図示しない）に保持された電力に基づいて一定時間作動する。したがって、テレビ１００が電力の供給を受けられないときであっても、その供給停止後、その蓄電部に蓄積された電力量に応じてクロック４６０は、時刻を計測することができる。
【００６８】
［制御構造］
図５を参照して、本発明の実施の形態に係るテレビ１００の制御構造について説明する。図５は、テレビ１００のＣＰＵ４１０が実行する一連の動作の一部を表わすフローチャートである。
【００６９】
ステップＳ５１０にて、ＣＰＵ４１０は、クロック４６０から送られる信号に基づいて時刻を計測する。ステップＳ５２０にて、ＣＰＵ４１０は、クロック４６０から送られる信号と、メモリ４５０に格納されている予約時刻とに基づいて、予約時刻が到来したか否かを判定する。ＣＰＵ４１０は、予約時刻が到来したと判定すると（ステップＳ５２０にてＹＥＳ）、制御をステップＳ５３０に切り換える。そうでない場合には（ステップＳ５２０にてＮＯ）、ＣＰＵ４１０は、制御をステップＳ５１０に戻す。
【００７０】
ステップＳ５３０にて、ＣＰＵ４１０は、メモリ４５２に格納されているチャンネル情報に基づいてそのチャンネルを選局する命令をチューナ４１４に与える。チューナ４１４は、その命令に従ってチャンネルを切り換える。
【００７１】
ステップＳ５４０にて、ＣＰＵ４１０は、信号処理回路４２０に命令を与えることにより、受信した放送信号からコンテンツデータを取得する。ここでコンテンツデータは、たとえばコマーシャル画像、ニュース、天気予報その他の文字情報をなどを含む。より詳しくは、信号処理回路４２０において、分離回路４２２は、ＣＰＵ４１０から与えられる命令に基づいて、受信した放送信号から番組を表示するための映像信号と当該コンテンツデータとを分離する。分離回路４２２は、その取得したコンテンツデータをＣＰＵ４１０に送る。ＣＰＵ４１０は、そのコンテンツデータをメモリ４５２において確保した記憶領域に格納する。
【００７２】
ステップＳ５５０にて、ＣＰＵ４１０は、そのコンテンツデータをメモリ４１２に一時的に保持する。ステップＳ５６０にて、ＣＰＵ４１０は、メモリ４１２に格納したコンテンツデータに基づいて画像を電子ペーパー４３０に表示する。
【００７３】
図６を参照して、テレビ１００のデータ構造についてさらに説明する。図６は、メモリ４５２におけるデータの格納の一態様を概念的に表わす図である。放送信号から取得された各コンテンツデータは、ＣＰＵ４１０によってメモリ４５２に書き込まれる。より詳しくは、第１のコンテンツデータは、メモリ領域６１０に格納されている。このコンテンツデータは、２００７年８月２８日０７時００分に取得されたことが示される。
【００７４】
第２のコンテンツデータは、メモリ領域６２０に格納されている。このコンテンツデータにもタイムスタンプが付されている。同様に、第３のコンテンツデータは、メモリ領域６３０に格納される。このようにしてメモリ４５２において、取得された各コンテンツデータは順次格納される。メモリ４５２の記憶領域が不足する場合には、各コンテンツデータに関連付けられているタイムスタンプに基づき、最も古く格納されたデータから削除されてもよい。
【００７５】
［画面の表示態様］
図７を参照して、テレビ１００の画像の表示態様について説明する。図７（Ａ）および図７（Ｂ）は、それぞれ電子ペーパー１３０における画像の表示態様を表わす図である。図７（Ａ）を参照して、電子ペーパー１３０は、受信した放送信号から取得されたコンテンツデータとして、天気予報を表示している。この状態において、天気予報として表示されているエリアの具体的な映像をさらに表示することができる。たとえば、テレビ１００の使用者がリモコン端末４９０を操作して、電子ペーパー１３０に表示されている地域の名称（たとえば「富士山」）を選択する操作を行なうと、その富士山の現実の映像が取得される。この場合、たとえばテレビ１００が双方向の通信機能を有する場合に、テレビ１００が富士山を表わすコードを送信し、そのコードに対応する映像を取得することにより、富士山の現在の様子を表わす画像が取得される（図７（Ｂ））。
【００７６】
次に、図８を参照して、本実施の形態に係るテレビ１００の他の局面における制御構造について説明する。図８は、テレビ１００は複数の画像を電子ペーパーに表示する場合にＣＰＵ４１０が実行する一連の処理を表わすフローチャートである。
【００７７】
ステップＳ８１０にて、ＣＰＵ４１０は、複数のコンテンツデータ（天気予報、フラッシュニュースなど）を取得し、メモリ４５２に保存する。
【００７８】
ステップＳ８２０にて、ＣＰＵ４１０は、最初に取得したコンテンツデータに基づく画像を電子ペーパー１３０に表示する。最初に取得したコンテンツデータは、たとえばそのコンテンツデータに関連付けられているタイムスタンプを参照して特定される。
【００７９】
ステップＳ８３０にて、ＣＰＵ４１０は、電子ペーパー１３０に表示されたコンテンツデータのフラグを、画像を表示したことを示す値（たとえば０→１）に切り換える。
【００８０】
ステップＳ８４０にて、ＣＰＵ４１０は、クロック４６０から送られる信号に基づいて、電子ペーパー１３０における画像の表示が開始されてから一定時間経過したか否かを判定する。ＣＰＵ４１０は、表示が開始されてから一定時間経過したと判定すると（ステップＳ８４０にてＹＥＳ）、制御をステップＳ８５０に切り換える。そうでない場合には（ステップＳ８４０にてＮＯ）、ＣＰＵ４１０は、制御をステップＳ８７０に切り換える。
【００８１】
ステップＳ８５０にて、ＣＰＵ４１０は、電子ペーパー１３０に画像が表示されていないコンテンツデータが他に存在するか否かを判定する。この判定は、たとえば各コンテンツデータのフラグを参照して行なわれる。ＣＰＵ４１０は、そのようなコンテンツデータが存在すると判定すると（ステップＳ８５０にてＹＥＳ）、制御をステップＳ８６０に切り換える。そうでない場合には（ステップＳ８５０にてＮＯ）、ＣＰＵ４１０は、処理を終了する。
【００８２】
ステップＳ８６０にて、ＣＰＵ４１０は、そのコンテンツデータに基づく画像を電子ペーパー１３０に表示する。ＣＰＵ４１０は、そのコンテンツデータのフラグを画像を表示したことを示す値に切り換える。
【００８３】
ステップＳ８７０にて、ＣＰＵ４１０は、電子ペーパー１３０における画像の表示をそのまま継続する。
【００８４】
以上のようにして、本実施の形態に係るテレビ１００は、画面の表示領域として、通常のテレビが有するディスプレイ装置に加えて、当該ディスプレイ装置の外側に設けられた電子ペーパー１３０を備える。テレビ１００は、受信した信号からコンテンツデータを取り出し、その取り出したコンテンツデータを電子ペーパー１３０に表示する。コンテンツデータは、広告を表示するためのデータ、使用者が求める情報（たとえば天気予報、ニュース、鉄道情報など）を含む。
【００８５】
これにより、テレビ１００は、通常の映像に加えて、コンテンツデータに基づく画像を表示することができる。当該コンテンツデータは、映像に関連付けられていても、あるいは関連付けられていなくてもよい。映像に関連付けられないデータの一例は、たとえば、パーソナルコンピュータにおけるいわゆる壁紙を表示するデータである。この場合、テレビ１００の使用者が特定の壁紙を選択することにより、当該使用者の嗜好に応じたデザインをテレビ１００に実現することができる。
【００８６】
また、複数のコンテンツデータの各々に基づく画像が順次、あるいはランダムに表示されてもよい。複数のコンテンツデータの各々は、相互に関連付けられていてもよく、あるいは関連付けられていなくてもよい。画像を順次表示することは、たとえば、天気予報を地域別に表示すること、ニュースを１つずつ表示すること等を含む。
【００８７】
電子ペーパー１３０の消費電力は、ディスプレイ装置１２０の消費電力よりもはるかに小さいため、テレビ１００の主電源がオフの場合でも電子ペーパー１３０に画像を表示しても消費電力の大幅な増大を伴うことなく、使用者の嗜好に応じたデザインを実現することができる。
【００８８】
＜第１の変形例＞
以下、本発明の実施の形態の第１の変形例について説明する。本変形例に係るテレビ９００は、ネットワークを介して情報提供装置と通信する機能を有する点で、前述のテレビ１００と異なる。
【００８９】
最初に、図９を参照して、本変形例に係るテレビ９００の構成について説明する。図９は、テレビ９００の使用態様を表わす図である。テレビ９００は、ディスプレイ１２０と、電子ペーパー１３０とを備える。テレビ９００は、ゲートウェイ装置９１０に接続される。ゲートウェイ装置９１０は、インターネット９２０に接続される。インターネット９２０には、情報提供サーバ装置１３００が接続されている。
【００９０】
図１０を参照して、本変形例に係るテレビ９００の具体的な構成について説明する。図１０は、テレビ９００のハードウェア構成を表わすブロック図である。テレビ９００は、図４に示される構成に加えて、通信Ｉ／Ｆ（Interface）１０１０を備える。通信Ｉ／Ｆ１０１０は、ゲートウェイ装置９１０に接続されるケーブルの装着を受け付ける。
【００９１】
次に、図１１を参照して、本変形例に係るテレビ９００を実現するＣＰＵ４１０について説明する。図１１は、ＣＰＵ４１０によって実現される機能の構成を表わすブロック図である。ＣＰＵ４１０は、予約情報管理部１１１０と、通信制御部１１２０と、コンテンツデータ取得部１１３０とを含む。
【００９２】
予約情報管理部１１１０は、メモリ４５２に格納されている予約情報（テレビ９００の電源オンの時刻およびオフの時刻、チャンネル情報など）と、クロック４６０から送られる時刻情報とに基づいて、テレビ９００によるタイマ動作を制御する。より詳しくは、予約情報管理部１１１０は、メモリ４５２に保持された予約時刻の到来を検知すると、テレビ９００と情報提供サーバ装置１３００との通信を実現する。
【００９３】
通信制御部１１２０は、予約情報管理部１１１０から送られる命令に基づいて、通信Ｉ／Ｆ１０１０に対して、予め定められた通信プロトコルに従って情報提供サーバ装置１３００との通信を確立させる。通信プロトコルは、たとえばＳＩＰ（Session Initiation Protocol）などであるがその他のプロトコルが用いられてもよい。
【００９４】
コンテンツデータ取得部１１３０は、通信Ｉ／Ｆ１０１０によって情報提供サーバ装置１３００から取得されたデータからコンテンツデータを取得し、メモリ４５２にその取得したデータを書き込む。当該コンテンツデータは、たとえばチューナ４１４によって選局されているチャンネルに関連付けられているデータ（たとえばＣＭ情報、番組情報など）を含む。
【００９５】
図１２を参照して、本発明の実施の形態に係るテレビ９００のデータ構造について説明する。図１２は、メモリ４５２におけるデータの格納の一態様を概念的に表わす図である。メモリ４５２は、テレビ９００に予約動作を実行させるためのデータを保持している。より詳しくは、予約番号（たとえば「０１」）は、メモリ領域１２１０に格納されている。コンテンツデータを取得する日時は、メモリ領域１２２０に格納されている。テレビ９００がアクセスするサイト（ＵＲＬ（Uniform Resource Locator））は、メモリ領域１２３０に格納されている。予約情報は、当該予約番号と取得日時とＵＲＬとを含む。複数の予約情報がメモリ４５２に格納され得る。この場合、２つ目の予約情報はメモリ領域１２４０，１２５０，１２６０に同様に格納される。
【００９６】
ＣＰＵ４１０は、メモリ４５２に格納されているこれらの予約情報を読み出してメモリ４５２に読み出す。ＣＰＵ４１０は、クロック４６０から送られる信号に基づいて予約時刻の到来を検知する。
【００９７】
次に、図１３を参照して、本実施の形態に係る情報提供サーバ装置１３００の具体的構成の一態様について説明する。図１３は、情報提供サーバ装置１３００として機能するコンピュータシステムのハードウェア構成を表わすブロック図である。
【００９８】
情報提供サーバ装置１３００は、主たる構成要素として、ＣＰＵ１３１０と、マウス１３２０と、キーボード１３３０と、ＲＡＭ（Random Access Memory）１３４０と、ハードディスク１３５０と、光ディスク駆動装置１３６０と、入力Ｉ／Ｆ１３７０と、通信Ｉ／Ｆ１３７２と、モニタ１３８０とを備える。光ディスク駆動装置１３６０には、ＣＤ−ＲＯＭ（Compact Disc-Read Only Memory）１３６２その他の記録媒体が装着される。
【００９９】
ＣＰＵ１３１０は、情報提供サーバ装置１３００に対して与えられる命令を実行する。
マウス１３２０，キーボード１３３０は、情報提供サーバ装置１３００に対する命令の入力を受け付ける。ＲＡＭ１３４０は、ＣＰＵ１３１０によって生成されたデータを一時的に（揮発的に）保持する。ハードディスク１３５０は、情報提供サーバ装置１３００に対して与えられたデータあるいはＣＰＵ１３１０によって生成されたデータを不揮発的に保持する。
【０１００】
光ディスク駆動装置１３６０は、ＣＤ−ＲＯＭ１３６２からデータを読み出す。また、他の局面において、データの書き込みが可能な媒体が装着された場合には、光ディスク駆動装置１３６０は、ＣＰＵ１３１０によって与えられる命令に基づいて当該媒体にデータを書き込む。
【０１０１】
通信Ｉ／Ｆ１３７２は、インターネット９２０に接続される。通信Ｉ／Ｆ１３７２は、ある局面において、テレビ９００から送られたコンテンツデータの配信要求に応答して、当該コンテンツデータをハードディスク１３５０から読み出して送信する。他の局面において、通信Ｉ／Ｆ１３７２は、コンテンツデータが関連付けられた映像音声信号をテレビ９００に対して配信してもよい。
【０１０２】
モニタ１３８０は、情報提供サーバ装置１３００の動作の状態を表わす画像を表示する。
【０１０３】
コンピュータシステムによって実現される情報提供サーバ装置１３００における処理は、ハードウェアおよびＣＰＵ１３１０により実行されるソフトウェアによって実現される。このようなソフトウェアは、ハードディスク１３５０に予め格納されている場合がある。また、当該ソフトウェアは、ＣＤ−ＲＯＭ１３６２その他の記録媒体に格納されて、プログラムプロダクトとして流通している場合もある。あるいは、当該ソフトウェアは、いわゆるインターネットに接続されている情報提供事業者によってダウンロード可能なプログラムプロダクトとして提供される場合もある。このようなソフトウェアは、光ディスク駆動装置１３６０その他の読取装置によって当該記録媒体から読み取られて、あるいは通信Ｉ／Ｆ１３７２を介してダウンロードされた後ハードディスク１３５０に一旦格納される。そのソフトウェアは、ＣＰＵ１３１０によってハードディスク１３５０から読み出され、ＲＡＭ１３４０に実行可能なプログラムの形式で書き込まれる。ＣＰＵ１３１０は、そのプログラムを実行する。
【０１０４】
図１３に示される情報提供サーバ装置１３００を構成する各要素は、一般的なものである。したがって、本実施の形態の最も本質的な部分は、ＲＡＭ１３４０、ハードディスク１３５０、ＣＤ−ＲＯＭ１３６２その他の記録媒体に格納されたソフトウェア、あるいはネットワークを介してダウンロード可能なソフトウェアであるともいえる。なお、情報提供サーバ装置１３００を構成する各要素の動作は周知であるので、その詳細な説明は繰り返さない。
【０１０５】
なお、記録媒体としてはＣＤ−ＲＯＭ、ＦＤ（Flexible Disk）、ハードディスク１３５０に限られず、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを含む）、光カード、マスクＲＯＭ、ＥＰＲＯＭ（Electronically Programmable Read Only Memory）、ＥＥＰＲＯＭ（Electronically Erasable Programmable Read-Only Memory）、フラッシュＲＯＭなどの半導体メモリなどの固定的にプログラムを担持可能な媒体でもよい。
【０１０６】
ここでいうプログラムと、ＣＰＵ１３１０によって直接実行可能なプログラムに限られず、ソースプログラム形式のプログラム、圧縮処理されたプログラム、暗号化されたプログラムなどを含む。
【０１０７】
次に、図１４を参照して、情報提供サーバ装置１３００のデータ構造について説明する。図１４は、ハードディスク１３５０におけるデータの格納の一態様を概念的に表わす図である。
【０１０８】
ハードディスク１３５０は、情報提供サーバ装置１３００の運営者によって予め取得されたコンテンツデータを保持している。詳しくは、コンテンツ番号は、メモリ領域１１１０に格納されている。当該コンテンツを表わすためのコンテンツデータは、メモリ領域１４２０にそれぞれ格納されている。ＣＰＵ１３１０は、通信Ｉ／Ｆ１３７２を介して取得したコンテンツデータの配信要求を検知すると、その要求に含まれているコンテンツ番号あるいはコンテンツの名称を取り出し、その番号あるいは名称を参照してハードディスク１３５０から当該コンテンツデータを読み出す。
【０１０９】
ハードディスク１３５０は、さらに、配信プログラム（メモリ領域１４３０）と、通信プログラム（メモリ領域１４４０）と、オペレーティングシステム（メモリ領域１４５０）とを格納している。配信プログラムがＣＰＵ１３１０によって実行されると、情報提供サーバ装置１３００が受信した配信要求に応じたコンテンツデータがその要求の送信元に送られる。通信プログラムがＣＰＵ１３１０によって実行されると、情報提供サーバ装置１３００に接続されているテレビ９００等の通信が確立され、通信セッションが形成される。オペレーティングシステムは、情報提供サーバ装置１３００の基本的な動作を実現する。
【０１１０】
図１５を参照して、情報提供サーバ装置１３００が実現するＣＰＵ１３１０について説明する。図１５は、ＣＰＵ１３１０によって実現される機能の構成を表わすブロック図である。ＣＰＵ１３１０は、通信制御部１５１０と、要求抽出部１５２０と、コンテンツデータ読出部１５３０と、パケット生成部１５４０と、配信処理部１５５０とを含む。
【０１１１】
通信制御部１５１０は、通信Ｉ／Ｆ１３７２を介して、情報提供サーバ装置１３００に接続される他の情報通信装置（たとえばテレビ９００）との通信を確立し、通信セッションを形成する。通信制御部１５１０は、ＣＰＵ１３１０が通信プログラム（メモリ領域１４４０）を実行することにより実現される。
【０１１２】
要求抽出部１５２０は、通信Ｉ／Ｆ１３７２が受信した信号からコンテンツの配信要求を取出す。要求抽出部１５２０は、ＣＰＵ１３１０が配信プログラム（メモリ領域１４３０）を実行することにより実現される。
【０１１３】
コンテンツデータ読出部１５３０は、配信要求抽出部１５２０によって抽出された要求に基づいてコンテンツデータ（メモリ領域１１２０）を検索し、特定のコンテンツデータを取り出す。コンテンツデータ要求部１５３０も、ＣＰＵ１３１０が配信プログラム（メモリ領域１１３０）を実行することにより実現される。
【０１１４】
パケット生成部１５４０は、コンテンツデータ読出部１５３０が読み出したコンテンツデータを含むパケットを生成する。当該パケットのデータは、コンテンツの配信要求を送信したテレビ９００のアドレスを含む。
【０１１５】
配信処理部１５５０は、パケット生成部１５４０によって生成されたパケットを通信Ｉ／Ｆ１３７２を介してテレビ９００に送信する。
【０１１６】
図１６を参照して、テレビ９００の制御構造について説明する。図１６は、テレビ９００のＣＰＵ４１０が実行する一連の動作の一部を表わすフローチャートである。なお、図５に示される処理と同一の処理には同一のステップ番号を付してある。したがって、それらの説明は繰り返さない。
【０１１７】
ステップＳ５２０にて、ＣＰＵ４１０は、予約時刻が到来したか否かを判定する。ＣＰＵ４１０は、予約時刻が到来したと判定すると（ステップＳ５２０にてＹＥＳ）、制御をステップＳ１６１０に切り換える。そうでない場合には（ステップＳ５２０にてＮＯ）、ＣＰＵ４１０は、制御をステップＳ５１０に戻す。
【０１１８】
ステップＳ１６１０にて、ＣＰＵ４１０は、メモリ４５２に格納されているＵＲＬに基づいて情報提供サーバ装置１３００との通信を確立する。ステップＳ１６２０にて、ＣＰＵ４１０は、その通信が確立された情報提供サーバ装置１３００からコンテンツデータを取得し、その取得したデータをメモリ４５２に格納する。
【０１１９】
次に、図１７を参照して、情報提供サーバ装置１３００の制御構造について説明する。図１７は、情報提供サーバ装置１３００のＣＰＵ１３１０が実行する一連の動作の一部を表わすフローチャートである。これらの動作は、ＣＰＵ１３１０が通信プログラム（メモリ領域１４４０）および配信プログラム（メモリ領域１４３０）を実行することにより実現される。
【０１２０】
ステップＳ１７１０にて、ＣＰＵ１３１０は、テレビ９００との通信が確立された後、テレビ９００からコンテンツデータの配信要求を受信する。ステップＳ１７２０にて、ＣＰＵ１３１０は、その配信要求からコンテンツの識別番号を取得する。ステップＳ１７３０にて、ＣＰＵ１３１０は、その識別番号を参照して、その識別番号に関連付けられているコンテンツデータをハードディスク１３５０から読み出す。
【０１２１】
ステップＳ１７４０にて、ＣＰＵ１３１０は、その読み出したコンテンツデータに基づいてパケットデータを生成する。ステップＳ１７５０にて、ＣＰＵ１３１０は、通信Ｉ／Ｆ１３７２を介してその生成したパケットデータをテレビ９００に送信する。テレビ９００は、そのパケットデータを受信すると、そのデータからコンテンツデータを取得し、ディスプレイ１２０あるいは電子ペーパー１３０に表示する。
【０１２２】
以上のようにして、本変形例に係るテレビ１００は、ネットワークを介してコンテンツデータを取得することができるので、放送信号を受信する場合に比べて多種多様なコンテンツデータを取得することができる。したがって、テレビ１００の使用者は、より多彩なデザインを電子ペーパー１３０に表示させることができる。
【０１２３】
＜第２の変形例＞
以下、本実施の形態の第２の変形例について説明する。本変形例に係るテレビ９００は、番組表を電子ペーパー１３０に表示する機能を有する点で、前述のテレビと異なる。なお、番組表は、テレビ放送信号と共に送信されるもの、テレビ放送信号とは別個に送信されるもののいずれであってもよい。あるいは、テレビ９００がネットワークを介して通信する機能を有している場合には、テレビ９００は、テレビ放送番組の放送局のサイトに保存されている当該放送局の番組表を取得してもよい。この場合、テレビ９００は、各放送局ごとに番組表を取得することになる。
【０１２４】
最初に、図１８を参照して、本変形例に係るテレビ９００のデータ構成について説明する。図１８は、メモリ４５２におけるデータの格納の一態様を概念的に表わす図である。メモリ４５２は、番組表を格納している。より詳しくは、時間帯は、メモリ領域１８０４に格納されている。１チャンネルの番組内容は、メモリ領域１８２０に格納されている。２チャンネルの番組内容は、メモリ領域１８３０に格納されている。同様にして１０チャンネルの番組内容は、メモリ領域１８４０に格納されている。番組表は、アンテナ４０２によって受信されるテレビ放送信号から取得される。また、他の局面において、テレビ９００は、通信Ｉ／Ｆ１０１０を介して情報提供サーバ装置１３００から番組表を受信することもできる。
【０１２５】
次に、図１９を参照して、本変形例に係るテレビの制御構造について説明する。図１９は、本変形例に係るテレビを実現するＣＰＵ４１０が実行する一連の動作の一部を表わすフローチャートである。
【０１２６】
ステップＳ１９１０にて、ＣＰＵ４１０は、テレビ放送信号から番組表データを取得してメモリ４５２に格納する（図１８）。ステップＳ１９２０にて、ＣＰＵ４１０は、電子ペーパー１３０に番組表を表示する。
【０１２７】
ステップＳ１９３０にて、ＣＰＵ４１０は、受光部４０６から送られるリモコン信号に基づいて番組表の選択を検知する。ステップＳ１９４０にて、ＣＰＵ４１０は、その選択に基づいてチャンネルを選局する命令をチューナ４１４に与える。チューナ４１４は、その命令に従ってテレビ放送信号の受信チャンネルを切り換える。チャンネルが切り換えられると、ディスプレイ１２０は、リモコン端末４９０によって新たに選局されたチャンネルの番組を表示する。
【０１２８】
ステップＳ１９５０にて、ＣＰＵ４１０は、番組表を表示するためのデータに対して、番組表の欄を当該番組が選択されていることを表わす表示パターンに切り換える。電子ペーパー１３０は、その切り換え後の表示パターンに従って番組表を表示する。
【０１２９】
そこで、図２０を参照して、本変形例に係るテレビの番組表の表示態様について説明する。図２０（Ａ）は、チャンネルを切り換える前に表示されているチャンネルと当該チャンネルに対応する番組の画面とを表わす図である。図２０（Ｂ）は、チャンネルが切り換えた後におけるチャンネルと当該チャンネルに対応する番組の表示を表わす図である。
【０１３０】
図２０（Ａ）に示されるように、ディスプレイ１２０が１チャンネルの番組を表示しているとき、電子ペーパー１３０において、番組表は、１チャンネルが選択していることを表わすように表示される。たとえばこの表示は、当該番組を示す領域を他の番組を示す領域よりも強調して表示する態様で実現される。
【０１３１】
その後、リモコン端末４９０の操作によってチャンネルが切り換えられると、図２０（Ｂ）に示されるように、当該テレビは、番組の表示を切り換える。すなわち、ディスプレイ１２０は、変更後のチャンネルとして３チャンネルの画面を表示する。電子ペーパー１３０において番組表は、３チャンネルが表示されていることを表わす態様でその番組のアイコン２０２０が強調して表示される。
【０１３２】
このような表示態様により、テレビの使用者は選択したチャンネルの番組とともに当該番組を含む番組表を容易に視認することができる。
【０１３３】
以上のようにして、本変形例に係るテレビは、放送信号あるいはネットワークに接続された情報提供装置からテレビ放送の番組表を表示するデータを取得し、その取得したデータに基づき番組表を表示する。当該番組表はチャンネルの選択機能に関連付けられている。したがって、使用者が、電子ペーパー１３０表示されている番組表の中から特定の番組を選択すると、その番組が現在放送されているものであれば、その番組を放映するチャンネルが選択される。その番組が将来放送されるものであれば、テレビは、内蔵する録画装置の予約録画処理を実行する。これにより、ディスプレイ装置１２０の表示が番組表によってさえぎられないため、使用者は、現在放映されている番組を楽しみつつ、他のチャンネルを選択することができる。
【０１３４】
＜第３の変形例＞
以下、本実施の形態の第３の変形例について説明する。本変形例に係るテレビは、番組とＣＭとをそれぞれ別個に表示できる点で前述の実施の形態および各変形例に係るテレビと異なる。なお、本変形例に係るテレビは、前述のテレビ１００あるいはテレビ９００が有するハードウェア構成によって実現される。それらの機能も同じである。したがって、それらの説明は繰り返さない。
【０１３５】
図２１を参照して、本変形例に係るテレビが受信する放送信号について説明する。図２１は、テレビ放送信号２１００の構成を概念的に表わす図である。テレビ放送信号２１００は、番組信号２１１０と、ＣＭ信号２１２０と、番組信号２１３０と、ＣＭ信号２１４０と、番組信号２１５０と、ＣＭ信号２１６０とを含む。テレビ放送信号２１００は、番組信号とＣＭ信号とを交互に図２１に示される順序で放送されているとする。この場合、テレビのアンテナ４０２は、番組信号とＣＭ信号とを順次受信する。従来のテレビの場合信号処理回路４２０は番組信号に基づく映像とＣＭ信号に基づく映像とをそれぞれ順次ディスプレイ１２０に表示していた。本変形例に係るテレビは、番組信号に基づく映像をディスプレイ１２０に表示し、ＣＭ信号に基づく映像を電子ペーパー１３０に表示することができる。
【０１３６】
そこで、図２２を参照して、本変形例に係るテレビの制御構造について説明する。図２２は、本変形例に係るテレビを実現するＣＰＵ４１０が実行する一連の処理の一部を表わすフローチャートである。
【０１３７】
ステップＳ２２１０にて、ＣＰＵ４１０は、チューナ４１４に対する信号に基づいてテレビ放送信号を受信する。ステップＳ２１２０にて、ＣＰＵ４１０は、受信した信号がＣＭ信号であるか否かを判定する。この判定は、たとえばテレビ放送信号２１００に含まれる各番組信号およびＣＭ信号のそれぞれに含まれている識別情報に基づいて行なわれる。ＣＰＵ４１０は、受信した信号がＣＭ信号であると判定すると（ステップＳ２２２０にてＹＥＳ）、制御をステップＳ２２３０に切り換える。そうでない場合には（ステップＳ２２２０にてＮＯ）、制御をステップＳ２２６０に切り換える。
【０１３８】
ステップＳ２２３０にて、ＣＰＵ４１０は、メモリ４５２に格納されているデータに基づいてＣＭを電子ペーパー１３０に表示するフラグがオンに設定されているか否かを判定する。当該フラグがオンに設定されている場合（ステップＳ２２３０にてＹＥＳ）、ＣＰＵ４１０は、制御をステップＳ２２４０に切り換える。そうでない場合には（ステップＳ２２３０にてＮＯ）、ＣＰＵ４１０は、制御をステップＳ２２５０に切り換える。
【０１３９】
ステップＳ２２４０にて、ＣＰＵ４１０は、取得したＣＭ信号に基づき画像を電子ペーパー１３０に表示する。ステップＳ２２５０にて、ＣＰＵ４１０は、ＣＭ信号に基づく画像をディスプレイ１２０に表示する。この場合ディスプレイ１２０における画像の表示態様は、従来のテレビによる表示態様と同じである。
【０１４０】
ステップＳ２２６０にて、ＣＰＵ４１０は、番組信号に基づく映像をディスプレイ１２０に表示する。
【０１４１】
ステップＳ２２７０にて、ＣＰＵ４１０は、電源をオフする命令を受信したか否かを判定する。ＣＰＵ４１０は、その命令を受信していると判定すると（ステップＳ２２７０にてＹＥＳ）、制御をステップＳ２２８０に切り換える。そうでない場合には（ステップＳ２２７０にてＮＯ）、ＣＰＵ４１０は、制御をステップＳ２２７０に戻す。
【０１４２】
ステップＳ２２８０にて、ＣＰＵ４１０は、ディスプレイ１２０における画像の表示を終了し、電子ペーパー１３０の表示を継続する。
【０１４３】
以上のようにして、本変形例に係るテレビは、複数種類の信号を受信する場合には、そのうちの一種類の信号に基づく映像をディスプレイ１２０に表示し、他の一種類に基づく画像を電子ペーパー１３０に表示する。このような構成によると、異なる種類の信号に基づく各画像をそれぞれディスプレィ１２０および電子ペーパー１３０に別個に表示することができる。よって、画像の性質（あるいは内容）に応じた画像表示が簡易に実現される。
【０１４４】
＜第４の変形例＞
以下、本実施の形態の第４の変形例について説明する。本変形例に係るテレビは、番組に含まれるスポンサーの画像から当該スポンサーのＣＭを表示する機能を有する点で前述の各変形例に係るテレビと異なる。係る機能により、特定のスポンサーの宣伝効果を高めることができる。
【０１４５】
なお、本変形例に係るテレビは、前述のテレビ１００またはテレビ９００が有するハードウェア構成と同様のハードウェア構成を有する。それらの機能も同じである。したがって、それらについての説明は繰り返さない。
【０１４６】
図２３を参照して、本変形例に係るテレビが受信するテレビ放送信号２３００について説明する。図２３は、テレビ放送信号２３００の構成を概念的に表わす図である。テレビ放送信号２３００は、番組信号２３１０と、ＣＭ信号２３２０と、番組信号２３３０と、ＣＭ信号２３４０とを含む。番組信号２３１０は、スポンサー画像２３１２を含む。番組信号２３３０は、スポンサー画像２３３２，２３３４を含む。スポンサー画像２３１２は、ＣＭ信号２３２２に関連付けられている。スポンサー画像２３３２は、ＣＭ信号２３４２に関連付けられている。スポンサー画像２３３４は、ＣＭ信号２３４４に関連付けられている。テレビ放送信号２３００は、番組信号２３１０、ＣＭ信号２３２０、番組信号２３３０、ＣＭ信号２３４０の順に送信される。
【０１４７】
図２４を参照して、本変形例に係るテレビのデータ構造について説明する。図２４は、本変形例に係るテレビのメモリ４５２におけるデータの格納の一態様を概念的に表わす図である。メモリ４５２は、スポンサー画像とＣＭ信号とを格納するための領域を有している。格納されているデータを識別するための番号は、メモリ領域２４１０に格納されている。番組信号に含まれるスポンサー画像は、メモリ領域２４２０に格納される。当該スポンサー画像に関連付けられるＣＭ信号は、メモリ領域２４３０に格納される。ＣＭ信号のデータフォーマットはたとえばＭＰＥＧ（Moving Picture Experts Group）フォーマットであるがその他のフォーマットが使用されてもよい。
【０１４８】
図２５を参照して、本変形例に係るテレビの画面の表示態様について説明する。図２５（Ａ）は、テレビ放送信号２３００に基づいて番組信号に基づく画像がディスプレイ１２０に表示されている状態を表わす図である。図２５（Ｂ）は、当該画面に含まれるスポンサー画像に関連付けられるＣＭが表示される態様を表わす図である。
【０１４９】
図２５（Ａ）を参照して、本変形例に係るテレビは、番組信号に基づいて映像をディスプレイ１２０に表示している。このとき当該番組にはスポンサー画像としてたとえば「Ｆ社」の表示が含まれている。この時点で、電子ペーパー１３０は、コンテンツデータに基づく画像としてたとえば天気予報を表示している。
【０１５０】
ここで当該テレビの使用者がリモコン端末４９０を操作して電子ペーパー１３０における表示を切り換えると、電子ペーパー１３０は、Ｆ社のＣＭを表わす表示を実現する。このとき、ディスプレイ１２０は、Ｆ社のＣＭ映像をメモリ領域２４３０に格納されているデータに基づいて表示する。
【０１５１】
そこで、図２６を参照して、本変形例に係るテレビの制御構造について説明する。図２６は、ＣＰＵ４１０が実行する一連の動作の一部を表わすフローチャートである。
【０１５２】
ステップＳ２６１０にて、ＣＰＵ４１０は、ＣＭ画像が含まれる番組信号２３１０を受信する。ステップＳ２６２０にて、ＣＰＵ４１０は、その番組信号に基づいて映像とスポンサー画像とをディスプレイ１２０に表示する。ステップＳ２６３０にて、ＣＰＵ４１０は、ＣＭ信号２３２０を受信する。ここで、ＣＭ信号２３２０は、スポンサー画像２３１２に対応するＣＭ信号２３２２を含む。ステップＳ２６４０にて、ＣＰＵ４１０は、その受信したＣＭ信号をメモリ４５２に保存する。
【０１５３】
ステップＳ２６５０にて、ＣＰＵ４１０は、受光部４０６から送られる信号に基づいてスポンサー画像２３１２が選択されたことを検知する。ステップＳ２６６０にて、ＣＰＵ４１０は、選択されたスポンサー画像２３１２に対応するＣＭ信号２３２２をメモリ４５２から読み出し、その信号に基づく画像を電子ペーパー１３０に表示する。
【０１５４】
ステップＳ２６７０にて、ＣＰＵ４１０は、新たに他のＣＭ画像が選択されたか否かを判定する。ＣＰＵ４１０は、他のＣＭ画像が選択されたと判定すると（ステップＳ２６７０にてＹＥＳ）、制御をステップＳ２６７０に切り換える。そうでない場合には（ステップＳ２６７０にてＮＯ）、ＣＰＵ４１０は制御をステップＳ２６９０に切り換える。
【０１５５】
ステップＳ２６８０にて、ＣＰＵ４１０は、新たに選択されたＣＭ画像を表示するためのＣＭ信号をメモリ４５２から読み出し、その信号に基づく画像を電子ペーパー１３０に表示する。
【０１５６】
ステップＳ２６９０にて、ＣＰＵ４１０は、選択されたＣＭ画像の表示を継続する。
以上のようにして、本変形例によると、番組信号とＣＭ信号とはスポンサー画像によって関連付けられている。本変形例に係るテレビは、当該番組信号と当該ＣＭ信号とを含む放送信号を受信すると、番組信号に基づく映像をディスプレイ１２０に表示する。テレビは、番組信号に基づきスポンサー画像を表示している場合において当該スポンサー画像の選択を検知すると、当該スポンサー画像に関連付けられているＣＭ信号に基づきＣＭを電子ペーパーに表示する。このようにすると、使用者は、テレビの番組コンテンツの視聴を妨げられることなく、番組とコマーシャルとを視聴することができる。
【０１５７】
＜第５の変形例＞
本変形例に係るテレビは、緊急警報情報を電子ペーパー１３０に表示する機能を有する点で、前述の各変形例に係るテレビと異なる。なお、本変形例に係るテレビは、テレビ１００またはテレビ９００が有するハードウェア構成と同一のハードウェア構成を有する。それらの機能も同じである。したがって、それらの説明は繰り返さない。
【０１５８】
図２７を参照して、本変形例に係るテレビの制御構造について説明する。図２７は、ＣＰＵ４１０が実行する一連の動作の一部を表わすフローチャートである。
【０１５９】
ステップＳ２７１０にて、ＣＰＵ４１０は、分離回路４２２から送られる信号に基づいて、緊急警報情報を受信したことを検知する。ステップＳ２７２０にて、ＣＰＵ４１０は、その検知に応答して、予め登録された緊急情報提供装置（図示しない）のＵＲＬにアクセスする。より詳しくは、ＣＰＵ４１０は、メモリ４５２に格納されているそのＵＲＬに基づいて通信Ｉ／Ｆ１０１０を介して緊急情報提供装置と通信を確立する。
【０１６０】
ステップＳ２７３０にて、ＣＰＵ４１０は、通信Ｉ／Ｆ１０１０を介して緊急情報提供装置から最新の情報を受信する。ステップＳ２７４０にて、ＣＰＵ４１０は、その受信した情報を電子ペーパー１３０に表示させる。
【０１６１】
ステップＳ２７５０にて、ＣＰＵ４１０は、当該テレビの電源の供給が遮断されたことを検知したか否かを判定する。この判定は、たとえば当該テレビの内部の電圧が低下したか否か、あるいは、ＣＰＵ４１０に供給される電流値が低下したか否かに基づいて行なわれる。ＣＰＵ４１０は、電源の供給が遮断されたと判定すると（ステップＳ２７５０にてＹＥＳ）、制御をステップＳ２７６０に切り換える。そうでない場合には（ステップＳ２７５０にてＮＯ）、ＣＰＵ４１０は、再びステップＳ２７５０の処理を実行する。
【０１６２】
ステップＳ２７６０にて、ＣＰＵ４１０は、電子ペーパー１３０における表示を継続する。より詳しくは、ＣＰＵ４１０も、電子ペーパー１３０に対して現在表示されている画像を特に消去する命令を与えることなく、最新の情報の表示を継続する。ＣＰＵ４１０は、テレビの電源の供給が遮断された後も蓄電部（図示しない）に蓄電されている電力に基づいて一定時間は作動することができる。
【０１６３】
ステップＳ２７７０にて、ＣＰＵ４１０は、時刻をクロック４６０から取得して、電源がオフになった時刻としてその取得した時刻を電子ペーパー１３０に表示する。
【０１６４】
これにより、テレビが停電した場合であっても停電した時刻および緊急警報情報が電子ペーパー１３０に表示されるため、状況を容易に把握することができる。
【０１６５】
図２８を参照して、本変形例に係るテレビの画面の表示態様について説明する。図２８（Ａ）は、本変形例に係るテレビの停電前における画像の表示態様を表わす図である。図２８（Ｂ）は、当該テレビが停電した後における画面の表示態様を表わす図である。
【０１６６】
図２８（Ａ）に示されるように、当該テレビが通常に画面をディスプレイ１２０に表示している場合、電子ペーパー１３０は、たとえば表示されている番組の詳細情報を表示する。
【０１６７】
その後、停電すると、当該テレビは、電子ペーパー１３０に緊急警報情報を受信したことを表わすテキストメッセージと停電の生じた日時を表わす日付とを表示する。そしてディスプレイ１２０は、電力の供給が遮断されたことにより、表示を終了する。このような場合であっても、電子ペーパー１３０は緊急警報情報などを表示し続けることができる。
【０１６８】
以上のようにして、本変形例に係るテレビは、緊急警報情報を受信した後、緊急情報提供装置のＵＲＬにアクセスする。テレビは、緊急情報提供装置から、最新の情報を受信し、その受信した情報を電子ペーパー１３０に表示する（ステップＳ２７４０）。当該テレビが停電により電力の供給を受けられなくなった後にも、電子ペーパー１３０は画像の表示を継続することができる。停電した時に表示される画像の一例は、電力の供給が遮断された時刻である。このような構成により、表示装置としてのテレビを緊急情報の掲示板として、継続的に画像を表示できる装置として機能させることができる。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７０】
【図１】本発明の実施の形態に係るテレビ１００の外観を表わす図である。
【図２】テレビ１００によって実現される機能の構成を表わすブロック図である。
【図３】信号３００の構成を概念的に表わす図である。
【図４】テレビ１００のハードウェア構成を表わすブロック図である。
【図５】テレビ１００のＣＰＵ４１０が実行する一連の動作の一部を表わすフローチャートである。
【図６】メモリ４５２におけるデータの格納の一態様を概念的に表わす図である。
【図７】電子ペーパー１３０における画像の表示態様を表わす図である。
【図８】テレビ１００は複数の画像を電子ペーパーに表示する場合にＣＰＵ４１０が実行する一連の処理を表わすフローチャートである。
【図９】第１の変形例に係るテレビ９００の使用態様を表わす図である。
【図１０】テレビ９００のハードウェア構成を表わすブロック図である。
【図１１】テレビ９００を実現するＣＰＵ４１０について説明する。
【図１２】メモリ４５２におけるデータの格納の一態様を概念的に表わす図である。
【図１３】情報提供サーバ装置１３００として機能するコンピュータシステムのハードウェア構成を表わすブロック図である。
【図１４】ハードディスク１３５０におけるデータの格納の一態様を概念的に表わす図である。
【図１５】ＣＰＵ１３１０によって実現される機能の構成を表わすブロック図である。
【図１６】テレビ９００のＣＰＵ４１０が実行する一連の動作の一部を表わすフローチャートである。
【図１７】情報提供サーバ装置１３００のＣＰＵ１３１０が実行する一連の動作の一部を表わすフローチャートである。
【図１８】第２の変形例に係るテレビのメモリ４５２におけるデータの格納の一態様を概念的に表わす図である。
【図１９】ＣＰＵ４１０が実行する一連の動作の一部を表わすフローチャートである。
【図２０】チャンネルを切り換える前に表示されているチャンネルと当該チャンネルに対応する番組の画面と、チャンネルが切り換えた後におけるチャンネルと当該チャンネルに対応する番組とを表わす図である。
【図２１】第３の変形例に係るテレビが受信するテレビ放送信号２１００の構成を概念的に表わす図である。
【図２２】第３の変形例に係るテレビを実現するＣＰＵ４１０が実行する一連の処理の一部を表わすフローチャートである。
【図２３】第４の変形例に係るテレビが受信するテレビ放送信号２３００の構成を概念的に表わす図である。
【図２４】第４の変形例に係るテレビのメモリ４５２におけるデータの格納の一態様を概念的に表わす図である。
【図２５】テレビ放送信号２３００に基づいて番組信号に基づく画像がディスプレイ１２０に表示されている状態と、画面に含まれるスポンサー画像に関連付けられるＣＭが表示される態様とを表わす図である。
【図２６】第４の変形例に係るテレビのＣＰＵ４１０が実行する一連の動作の一部を表わすフローチャートである。
【図２７】第５の変形例に係るテレビのＣＰＵ４１０が実行する一連の動作の一部を表わすフローチャートである。
【図２８】第５の変形例に係るテレビの停電前後における画像の表示態様を表わす図である。
【符号の説明】
【０１７１】
１００，９００  テレビ、１１０  筐体、１２０  ディスプレイ、１３０  電子ペーパー、３００  信号、４０２  アンテナ、４２８  表示ドライバ、４３６ａ，４３６ｂ  アンプ、４９０  リモコン端末、９２０  インターネット、１３００  サーバ装置、１３６２  ＣＤ−ＲＯＭ、２３００  テレビ放送信号。
【図１】
0005309523.tif 000002
【図２】
0005309523.tif 000003
【図３】
0005309523.tif 000004
【図４】
0005309523.tif 000005
【図５】
0005309523.tif 000006
【図６】
0005309523.tif 000007
【図７】
0005309523.tif 000008
【図８】
0005309523.tif 000009
【図９】
0005309523.tif 000010
【図１０】
0005309523.tif 000011
【図１１】
0005309523.tif 000012
【図１２】
0005309523.tif 000013
【図１３】
0005309523.tif 000014
【図１４】
0005309523.tif 000015
【図１５】
0005309523.tif 000016
【図１６】
0005309523.tif 000017
【図１７】
0005309523.tif 000018
【図１８】
0005309523.tif 000019
【図１９】
0005309523.tif 000020
【図２０】
0005309523.tif 000021
【図２１】
0005309523.tif 000022
【図２２】
0005309523.tif 000023
【図２３】
0005309523.tif 000024
【図２４】
0005309523.tif 000025
【図２５】
0005309523.tif 000026
【図２６】
0005309523.tif 000027
【図２７】
0005309523.tif 000028
【図２８】
0005309523.tif 000029